【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
視野をそれぞれ有する複数のカメラを含み、各視野が複数のカメラ副領域からなるビデオ監視サブシステムと、
動作半径内の無線ＩＣタグを検出できる複数のステーションを含む無線ＩＣタグサブシステムと、
１つ又は複数のカメラ副領域を前記無線ステーションの１つ又は複数の動作半径と関連付けるために、前記ビデオ監視サブシステム及び前記無線ＩＣタグサブシステムと通信する関連付けモジュールを含む、監視システム。
【請求項２】
前記関連付けが、前記カメラ副領域と前記動作半径との間の位置的対応に基づく、請求項１に記載のシステム。
【請求項３】
前記カメラ副領域と前記ステーションの動作半径との間の前記関連付けが、前記ビデオ監視サブシステムによりキャプチャされたデータから推論される、請求項２に記載のシステム。
【請求項４】
前記ビデオ監視サブシステムによりキャプチャされたデータが、前記複数のカメラの間を移動する対象物の視覚表示を含む、請求項３に記載のシステム。
【請求項５】
前記ビデオ監視サブシステムによりキャプチャされたデータが、前記複数のカメラの複数の副領域の間を移動する対象物の視覚表示を含む、請求項３に記載のシステム。
【請求項６】
前記カメラ副領域と前記ステーションの動作半径との間の前記関連付けが、無線ＩＣタグサブシステムによりキャプチャされたデータから推論される、請求項２に記載のシステム。
【請求項７】
前記無線ＩＣタグサブシステムによりキャプチャされたデータが、前記ステーションの動作半径の間を移動する対象物に関連した空間的情報を含む、請求項６に記載のシステム。
【請求項８】
前記カメラ副領域と前記ステーションの動作半径との間の前記関連付けが、前記ビデオ監視サブシステム及び前記無線ＩＣタグサブシステムによりキャプチャされたデータから推論される、請求項１に記載のシステム。
【請求項９】
前記監視システムにより追跡されている対象物と関連した情報を格納するためのデータ格納モジュールを更に含む、請求項１に記載のシステム。
【請求項１０】
前記情報が、前記対象物に関連する１つ又は複数の規則を含む、請求項９に記載のシステム。
【請求項１１】
前記ビデオ監視サブシステム及び前記無線ＩＣタグサブシステムから受信されたデータに基づいて、前記監視システムにより追跡される対象物の物理的位置を時間順に表すための追跡モジュールを更に含む、請求項９に記載のシステム。
【請求項１２】
前記ビデオ監視サブシステム及び前記無線ＩＣタグサブシステムが領域内で動作し、その領域が、前記カメラの視野および前記ステーションの動作半径の外側にある少なくとも１つの無効区域を含む、請求項１１に記載のシステム。
【請求項１３】
１つ又は複数の対象物が１つ又は複数の無効区域を通過する間に、前記追跡モジュールが、前記監視システムにより追跡されている１つ又は複数の対象物の位置を推論する、請求項１２に記載のシステム。
【請求項１４】
前記対象物が無効区域を通過する間に、前記追跡モジュールが、前記対象物の以前の既知の位置に基づいて、前記監視システムにより追跡されている対象物に対する次のカメラの位置を推論する、請求項１２に記載のシステム。
【請求項１５】
前記以前の既知の位置が、前記無線ＩＣタグサブシステム及び前記ビデオ監視サブシステムのうちの１つ又は複数から受信されたデータに基づく、請求項１４に記載のシステム。
【請求項１６】
前記データ格納モジュール及び前記追跡モジュールに応じて、１つ又は複数の規則と前記監視システムにより追跡されている１つ又は複数の対象物の物理的位置に関する地理的表示とを比較するための警報モジュールを更に含む、請求項１１に記載のシステム。
【請求項１７】
前記警報モジュールが、１つ又は複数の前記地理的表示により１つ又は複数の規則が破られたことを判定することに基づいて１つ又は複数の警報を生成する、請求項１６に記載のシステム。
【請求項１８】
前記警報を無線通信装置に送信するための通信モジュールを更に含む、請求項１７に記載のシステム。
【請求項１９】
前記カメラは、対象となっている対象物に焦点を合わせるように１つ又は複数のカメラに警報が更に命令するように、前記警報モジュールに応答する、請求項１７に記載のシステム。
【請求項２０】
前記カメラは、対象となっている区域に焦点を合わせるように１つ又は複数のカメラに警報が更に命令するように、前記警報モジュールに応答する、請求項１７に記載のシステム。
【請求項２１】
前記カメラは、対象となっている人物に焦点を合わせるように１つ又は複数のカメラに警報が更に命令するように、前記警報モジュールに応答する、請求項１７に記載のシステム。
【請求項２２】
前記ビデオ監視サブシステム及び前記無線ＩＣタグサブシステムが、互いに無関係に較正される、請求項１に記載のシステム。
【請求項２３】
１つ又は複数の前記無線ステーションの動作半径と前記カメラ副領域との関連付けは、多数対多数の関連付けである、請求項１に記載のシステム。
【請求項２４】
環境内の活動をモニタリングする方法であって、
複数の副領域からなる視野をそれぞれ有する複数のカメラにより生成された複数の画像信号を受信し、
複数の無線ステーションにより生成されたデータを受信し、前記データが前記環境内の対象物と関連付けられた複数の無線タグとの相互作用に基づいており、
１つ又は複数のカメラ副領域を前記ステーションの１つ又は複数の動作半径と関連付け、及び
前記複数のカメラの視野と前記複数のステーションの動作半径との間で複数の対象物が移動する際、較正とは関係なく、前記環境内の前記複数の対象物を追跡する、方法。
【請求項２５】
前記カメラ副領域と前記ステーションの動作半径との間の関連付けが、複数のカメラにより生成された前記複数のビデオ信号によりキャプチャされたデータから推論される、請求項２４に記載の方法。
【請求項２６】
複数のカメラにより生成された前記複数のビデオ信号が、前記複数のカメラの間を移動する対象物の視覚表示を含む、請求項２５に記載の方法。
【請求項２７】
複数のカメラにより生成された前記複数のビデオ信号が、前記複数のカメラの前記複数の副領域の間を移動する対象物の視覚表示を含む、請求項２５に記載の方法。
【請求項２８】
前記カメラ副領域と前記ステーションの動作半径との間の前記関連付けが、複数の無線ステーションにより生成されたデータから推論される、請求項２４に記載の方法。
【請求項２９】
前記複数の無線ステーションにより生成されたデータが、前記無線ステーションの動作半径の間を移動する対象物と関連した空間的情報を含む、請求項２８に記載の方法。
【請求項３０】
前記カメラ副領域と前記ステーションの動作半径との間の前記関連付けが、前記複数のカメラにより生成された前記複数のビデオ信号および前記複数の無線ステーションにより生成されたデータから推論される、請求項２４に記載の方法。
【請求項３１】
前記複数のカメラにより生成された前記複数のビデオ信号、及び前記複数の無線ステーションにより生成されたデータに基づいて、前記環境内の前記複数の対象物の物理的位置を時間順に表すことを更に含む、請求項２４に記載の方法。
【請求項３２】
前記対象物が１つ又は複数の無効区域を通過する間に、前記環境内の１つ又は複数の対象物の位置を推論することを更に含み、前記無効区域が、前記カメラの視野および前記ステーションの動作半径の外側にある、請求項２４に記載の方法。
【請求項３３】
前記対象物が無効区域を通過する間に、前記対象物の以前の既知の位置に基づいて、前記環境内の対象物に対する次のカメラの位置を推論することを更に含む、請求項２４に記載の方法。
【請求項３４】
前記以前の既知の位置が、前記複数のカメラにより生成された前記複数のビデオ信号、及び前記複数の無線ステーションにより生成されたデータに基づく、請求項３３に記載の方法。
【請求項３５】
１つ又は複数の規則を、前記環境内の前記複数の対象物の物理的位置に関する１つ又は複数の地理的表示に適用することを更に含む、請求項３１に記載の方法。
【請求項３６】
１つ又は複数の地理的表示により、１つ又は複数の前記規則が破られたことを判定した際に、１つ又は複数の警報を生成することを更に含む、請求項３３に記載の方法。
【請求項３７】
前記警報を無線通信装置に送信することを更に含む、請求項３６の方法。
【請求項３８】
前記警報が、前記環境内の対象となっている対象物に焦点を合わせるように１つ又は複数のカメラに更に命令する、請求項３６に記載の方法。
【請求項３９】
前記警報が、前記環境内の対象となっている区域に焦点を合わせるように１つ又は複数のカメラに更に命令する、請求項３６に記載の方法。
【請求項４０】
前記警報が、前記環境内の対象となっている人物に焦点を合わせるように１つ又は複数のカメラに更に命令する、請求項３６に記載の方法。